(57)【特許請求の範囲】
【請求項１】
段ボールの破断位置に沿って設けられた２条の破断可能線からなり、両破断可能線間の段ボールを帯状に引き裂く方向を破断方向としたとき、夫々の破断可能線が、前記破断方向に沿って所定間隔を存して配列された複数の単位切目により形成された段ボール破断用ジッパーにおいて、
前記単位切目は、前記破断方向に沿って延びる第１切目部と、両破断可能線間の中央側から前記第１切目部に向かって傾斜しつつ延びて終端が該第１切目部の破断方向の始端に連続する第２切目部と、前記第１切目部に一端が交わって両破断可能線間から離反する方向に延びる第３切目部とからなり、
前記第３切目部の前記一端は、前記第１切目部と前記第２切目部との境界から所定の距離を存し且つ前記第１切目部の長手方向の中央よりも前記第２切目部側となる位置で前記第１切目部に交わることを特徴とする段ボール破断用ジッパー。
【請求項２】
前記第３切目部は、両破断可能線の破断方向に対して直角となる方向に延びることを特徴とする請求項１記載の段ボール破断用ジッパー。
【請求項３】
前記第１切目部は、前記第２切目部との境界から次第に両破断可能線間の中央に接近するように傾斜して延びることを特徴とする請求項１又は２記載の段ボール破断用ジッパー。
【発明の詳細な説明】
【技術分野】
【０００１】
本発明は、段ボール箱の開封作業等を容易とするために段ボール箱の周壁等に設けられる段ボール破断用ジッパーに関する。
【背景技術】
【０００２】
段ボール板紙を折り曲げ接着して組み立てられる包装箱においては、接着部分を剥がすことなく容易に開梱が行えるように、側壁板にジッパーが形成されている（例えば、下記特許文献１参照）。
【０００３】
この種のジッパーは、所定幅で平行に延設された２条の破断可能線からなり、ジッパーの端部に形成された破断開始部を摘んで破断方向に引っ張ることにより、包装箱の側壁板を帯状に引き裂いて開梱できるようになっている。
【０００４】
図４に示すように、ジッパー１０を構成する２条の破断可能線１１は、破断方向に沿って所定間隔を存して配列された複数の単位切目１２により形成されている。各単位切目１２は、２条の破断可能線１１を構成するもの同士で互いに平行に延びる第１切目部１２ａと、互いに交わる方向に傾斜して延びる第２切目部１２ｂとを備えている。単位切目１２の第１切目部１２ａと第２切目部１２ｂとは互いに連続している。単位切目１２は、第２切目部１２ｂから第１切目部１２ａに向かう方向に破断が進行する。
【０００５】
この種のジッパーは、破断開始部を摘んで外方に引っ張ることで、２条の破断可能線１１に沿って破断された帯状の切離片が形成される。このとき、ジッパーの破断作業中に帯状の切離片の引っ張り方向が何れか一方の破断可能線側に偏ると、一方の破断可能線に対して交差する方向に破断力が付与される。このため、ジッパーの破断後には、一方の破断可能線に沿った破断端縁に、段ボールの表ライナの表層が大きく剥離した部分が形成されてしまい、外観が著しく低下する不都合がある。
【０００６】
そこで、段ボールの表層剥離を抑えるために、図５に示すように、第１切目部１２ａと第２切目部１２ｂとの境界１２ｙから、両破断可能線１１間の外側に向かって延びる第３切目部１２ｃを設けて単位切目１２を構成したジッパーが提案されている（特許文献２参照）。
【先行技術文献】
【特許文献】
【０００７】
【特許文献１】特開２００３−１６５５３３号公報
【特許文献２】特開２００４−２６１７８号公報
【発明の概要】
【発明が解決しようとする課題】
【０００８】
しかし、第１切目部１２ａと第２切目部１２ｂとの境界１２ｙに第３切目部１２ｃの一端が交わっていると、第３切目部１２ｃにより弱められた第１切目部１２ａと第２切目部１２ｂとの境界１２ｙの周辺が撓みやすくなる。このため、破断作業時には隣接する単位切目１２の間隔部分で帯状の切離片の引っ張り方向への盛り上がりが大きく生じ、表ライナの表層が大きく剥離して外観の低下を十分に抑えることができない。
【０００９】
上記の点に鑑み、本発明は、段ボールの表ライナの表層剥離の発生を十分に抑えることができ、破断端縁の外観低下を防止することができる段ボール破断用ジッパーを提供することを目的とする。
【課題を解決するための手段】
【００１０】
かかる目的を達成するために、本発明は、段ボールの破断位置に沿って設けられた２条の破断可能線からなり、両破断可能線間の段ボールを帯状に引き裂く方向を破断方向としたとき、夫々の破断可能線が、前記破断方向に沿って所定間隔を存して配列された複数の単位切目により形成された段ボール破断用ジッパーにおいて、前記単位切目は、前記破断方向に沿って延びる第１切目部と、両破断可能線間の中央側から前記第１切目部に向かって傾斜しつつ延びて終端が該第１切目部の破断方向の始端に連続する第２切目部と、前記第１切目部に一端が交わって両破断可能線間から離反する方向に延びる第３切目部とからなり、前記第３切目部の前記一端は、前記第１切目部と前記第２切目部との境界から所定の距離を存し且つ前記第１切目部の長手方向の中央よりも前記第２切目部側となる位置で前記第１切目部に交わることを特徴とする。
【００１１】
本発明の段ボール破断用ジッパーは、前記単位切目が第３切目部を備えることにより、２条の破断可能線に沿って段ボールを破断する際に、表ライナの表層の剥離の進行を第３切目部により止めることができる。このとき、本発明においては、第３切目部が、第１切目部と第２切目部との境界から離間して第１切目部に交わっているので、第１切目部と第２切目部との境界の周辺が撓み難くなっている。これにより、２条の破断可能線間を帯状に引き裂くとき、単位切目の間隔部分の盛り上がりを抑えることができ、表ライナの表層の剥離を軽減させることができるので、破断端縁の外観低下を防止することができる。
【００１２】
また、本発明の段ボール破断用ジッパーにおいて、前記第３切目部は、両破断可能線の破断方向に対して直角となる方向に延びることが好ましい。これによれば、第３切目部の全長が比較的短くても、表ライナの表層の剥離の進行を第３切目部により止めることができ、第３切目部による段ボールの強度低下を最小限とすることができる。
【００１３】
また、本発明の段ボール破断用ジッパーにおいて、前記第１切目部は、前記第２切目部との境界から次第に両破断可能線間の中央に接近するように傾斜して延びることを特徴とする。これによれば、第１切目部の破断が進行する方向が両破断可能線間の中央に接近する方向となるので、第１切目部の破断方向の終端部から表ライナの表層の剥離が発生しても、当該表層剥離は両破断可能線間の中央に向かって進行する。よって、表ライナの表層剥離が両破断可能線間の外側に進行するのを抑制することができる。
【図面の簡単な説明】
【００１４】
【図１】本発明の段ボール破断用ジッパーを備える包装箱を示す斜視図。
【図２】本発明の段ボール破断用ジッパーの一例を示す説明図。
【図３】本発明の段ボール破断用ジッパーの他の例を示す説明図。
【図４】従来の段ボール破断用ジッパーを示す説明図。
【図５】従来の他の段ボール破断用ジッパーを示す説明図。
【発明を実施するための形態】
【００１５】
本発明の一実施形態を図面に基づいて説明する。図１に示すように、本実施形態の段ボール破断用ジッパー１は、段ボール製の包装箱２の側壁３に設けられている。
【００１６】
ジッパー１は、図２に示すように、２条の破断可能線４であり、矢印ｆで示す方向に両破断可能線４の破断を進行させることにより、図１に示すように、両破断可能線４間が帯状に引き裂かれる。これにより、包装箱２の側壁３から帯状切離片５が切離され、破断端縁が形成されて当該側壁３が上下に分割される。
【００１７】
図２に示すように、破断可能線４は、所定間隔を存して配列された複数の単位切目６により構成されている。上下の破断可能線４を構成する単位切目６は上下対称に形成されている。
【００１８】
各単位切目６は、図２に示すように、第１切目部６ａと、第２切目部６ｂと、第３切目部６ｃとによって構成されている。第１切目部６ａは、破断方向と同一方向に延びており、上下位置の両第１切目部６ａは互いに平行となっている。第２切目部６ｂは、破断方向に向かって、両破断可能線４間の中央から次第に離反する方向に傾斜して延びており、破断方向の終端が第１切目部６ａの破断方向始端に連続する。第３切目部６ｃは、両破断可能線４間（帯状切離片５となる部分）から離反する方向に延びている。
【００１９】
更に、第３切目部６ｃの一端は、第１切目部６ａに交わって該第１切目部６ａに連続する。第３切目部６ｃの一端が第１切目部６ａに交わる位置６ｘは、第１切目部６ａと第２切目部６ｂとの境界６ｙから所定の距離を存して、しかも、第１切目部６ａの長手方向の中央６ｚよりも第２切目部６ｂ側となる位置となっている。これにより、第１切目部６ａと第２切目部６ｂとの境界６ｙから離れて第３切目部６ｃの一端が位置するので、第１切目部６ａと第２切目部６ｂとの境界６ｙが第３切目部６ｃによって弱められることがなく、ジッパー１の破断時に互に隣り合う単位切目６間の部分の盛り上がりが抑えられるので、表ライナの表層剥離の発生を抑制する効果が向上する。
【００２０】
また、第３切目部６ｃの長さは、第１切目部６ａと第２切目部６ｂとの境界６ｙから第３切目部６ｃの一端が第１切目部６ａに交わる位置６ｘまでの寸法と同等かそれ以上に設定されている。これにより、ジッパー１の破断時に、隣り合う単位切目６間で段ボール（包装箱２の側壁３）の表ライナーの表層剥離が生じたとき、第３切目部６ｃが比較的短くても表層剥離の進行を第３切目部６ｃにより十分に抑えることができる。
【００２１】
更に、第３切目部６ｃは、第１切目部６ａに対して直角となる方向に延びている。これによれば、第３切目部６ｃが表ライナの表層剥離の進行を抑える効果を向上させることができる。
【００２２】
なお、上記の例では、単位切目６の第１切目部６ａが破断方向と同一方向に延びて上下位置の両第１切目部６ａが互いに平行となっているものを挙げたが、これ以外に、図３に示すように、第１切目部６ａを、第２切目部６ｂとの境界６ｙから次第に両破断可能線４間（帯状切離片５となる部分）の中央に接近する方向に傾斜させて設けてもよい。これによれば、第１切目部６ａの破断の進行方向が両破断可能線４間の中央に接近する方向となるので、表ライナの表層剥離が発生しても、その表層剥離の両破断可能線４間の外側への進行を抑制することができる。
【００２３】
また、図３に示すように、と第３切目部６ｃが第１切目部６ａに対して直角に伸びていなくても、第３切目部６ｃが、両破断可能線４の破断方向に対して直角となる方向に延びて設けられていれば、図２に示した形態と同様に、表層剥離の進行を抑える効果が向上する。
【符号の説明】
【００２４】
１…段ボール破断用ジッパー、２…包装箱（段ボール）、４…破断可能線、６…単位切目、６ａ…第１切目部、６ｂ…第２切目部、６ｃ…第３切目部。
【図１】
0006411241.tif 000002
【図２】
0006411241.tif 000003
【図３】
0006411241.tif 000004
【図４】
0006411241.tif 000005
【図５】
0006411241.tif 000006